(57)【要約】  取付ボルト（６）の雄ねじ（６Ｃ）が螺合する袋ナット（１５）の雌ねじ穴（１７）は、有底状のねじ穴として形成し、その長さ寸法は、脆弱部（６Ｄ）が破断するまで取付ボルト（６）の雄ねじ（６Ｃ）を締付けたときに、雄ねじ（６Ｃ）の先端部（６Ｃ1）との間に軸方向の間隙（１８）を確保することができる寸法（Ｌ1）とする。従って、過大な締付けトルクによって取付ボルト（６）が脆弱部（６Ｄ）で破断した場合、破断した先端側の雄ねじ（６Ｃ）は、螺合状態で雌ねじ穴（１７）内に残すことができる。これにより、雌ねじ穴（１７）内に残った取付ボルト（６）の雄ねじ（６Ｃ）は、指先で簡単に緩めて取外すことができる。
2010098301.tif 000002
【特許請求の範囲】
【請求項１】
建設機械で用いる複数本のハーネス（１０，１９）を接続するために互いに対面して取付け、取外し可能に嵌合される２つのコネクタハウジング（２，１２，２２）と、該各コネクタハウジング（２，１２，２２）のうち一側のコネクタハウジング（２）に前記ハーネス（１０，１９）の接続方向（Ａ）に貫通して設けられたボルト挿通孔（５）と、前記一側コネクタハウジング（２）のボルト挿通孔（５）に挿通して設けられ基端側がボルト頭（６Ｂ）となり先端側が他側のコネクタハウジング（１２，２２）と対向する対向面（３Ａ）より突出した雄ねじ（６Ｃ）となった取付ボルト（６）と、前記他側コネクタハウジング（１２，２２）のうち前記一側コネクタハウジング（２）と対向する対向面（１３Ａ）に設けられ該取付ボルト（６）の雄ねじ（６Ｃ）が螺着される雌ねじ（１７）とからなる建設機械用コネクタ装置において、
前記取付ボルト（６）には、前記ボルト頭（６Ｂ）と雄ねじ（６Ｃ）との間に位置して該取付ボルト（６）を締付けたときに前記コネクタハウジング（２，１２，２２）が損傷する締付け力よりも小さな締付け力で破断する脆弱部（６Ｄ）を設け、
前記他側コネクタハウジング（１２，２２）に設けられた雌ねじ（１７）は、前記一側コネクタハウジング（２）に向け開口する有底状の雌ねじ穴として形成し、
前記雌ねじ穴（１７）は、前記脆弱部（６Ｄ）が破断するまで前記取付ボルト（６）の雄ねじ（６Ｃ）を締付けた場合でも、前記雄ねじ（６Ｃ）の先端部（６Ｃ1）との間に軸方向の間隙（１８）を確保することができる長さ寸法（Ｌ1）に形成したことを特徴とする建設機械用コネクタ装置。
【請求項２】
前記他側コネクタハウジング（１２，２２）には袋ナット（１５，２４）を設け、前記雌ねじ穴（１７）は該袋ナット（１５，２４）に設ける構成としてなる請求項１に記載の建設機械用コネクタ装置。
【請求項３】
前記一側コネクタハウジング（２）と前記取付ボルト（６）のボルト頭（６Ｂ）との間には前記ボルト挿通孔（５）を液密にシールするシール部材（７）を設ける構成としてなる請求項１に記載の建設機械用コネクタ装置。
【請求項４】
前記各コネクタハウジング（２，１２，２２）のうち少なくとも一方のコネクタハウジングには、互いに対面して取付けたときに該各コネクタハウジング（２，１２，２２）間を液密にシールする他のシール部材（８）を設ける構成としてなる請求項１に記載の建設機械用コネクタ装置。
【請求項５】
前記ボルト挿通孔（５）のうち前記他側コネクタハウジング（１２，２２）との対向面（３Ａ）側に大径孔部（５Ｂ）を形成し、前記取付ボルト（６）の脆弱部（６Ｄ）は前記大径孔部（５Ｂ）内に位置して縮径して形成した縮径部であり、該縮径部には前記取付ボルト（６）のボルト頭（６Ｂ）との間で当該取付ボルト（６）を抜止めする抜止めリング（９）を取付ける構成としてなる請求項１に記載の建設機械用コネクタ装置。
【発明の詳細な説明】
【技術分野】
【０００１】
本発明は、例えば油圧ショベル、油圧クレーン等の建設機械においてハーネスを接続するのに用いて好適な建設機械用コネクタ装置に関する。
【背景技術】
【０００２】
一般に、建設機械としての油圧ショベルは、自走可能な下部走行体と、該下部走行体上に旋回可能に搭載された上部旋回体と、該上部旋回体の前側に俯仰動可能に設けられた作業装置とにより構成されている。【０００３】
油圧ショベルには、各種スイッチ、センサ、表示器等の多くの電気部品が搭載され、これらの電気部品からは電源用、信号伝達用のハーネス（電気配線）が延びている。そして、各電気部品から延びるハーネスは、コネクタ装置を用いて延長され、例えば制御用のコントローラに接続されている。【０００４】
ここで、油圧ショベルに用いられるコネクタ装置は、束ねられた多数本のハーネスの端部に設けられた２つのコネクタハウジングを互いに接続するものであるから、各コネクタハウジングに設けられた接続端子間の摩擦抵抗のために、取付け、取外し（接続、分離）するときに大きな力が必要になる。このために、油圧ショベル用のコネクタ装置としては、一般的にねじの締結力（螺合）を利用して取付け、取外しを行うねじ式のコネクタ装置が用いられている。【０００５】
ねじ式のコネクタ装置は、２つのコネクタハウジングを有し、一側コネクタハウジングには、ハーネスの接続方向に貫通して設けられたボルト挿通孔と、該ボルト挿通孔に挿通して設けられ基端側がボルト頭となり先端側が他側コネクタハウジングと対向する対向面より突出した雄ねじとなった取付ボルトとを備えている。一方、前記他側コネクタハウジングには、前記一側コネクタハウジングと対向する対向面に設けられ該取付ボルトの雄ねじが螺着される雌ねじを備えている。【０００６】
また、ねじ式のコネクタ装置では、取付ボルトを締め過ぎることがあり、この場合には、取付ボルトの締付け力によってコネクタハウジング等が損傷する虞がある。そこで、コネクタ装置には、ねじ締め工具を係合させる取付ボルトのボルト頭に脆弱な括れ部を設け、過大な締付け力が作用したときには括れ部を破断させることにより、コネクタハウジングの損傷を防止する構成としたものがある（特許文献１：実開平６−１３０７０号公報）。
【発明の概要】
【０００７】
ところで、上述した特許文献１によるコネクタ装置では、取付ボルトを過大な締付け力で締付けると、コネクタハウジングが損傷する前にボルト頭に設けた括れ部が破断するから、過大な締付け力によるコネクタハウジング等の損傷を防止することができる。しかし、ボルト頭を破断させた場合、その一部がコネクタハウジングに締付けられたままの状態で残ってしまうから、工具を用いて破断した取付ボルトを取外さなくてはならないという問題がある。
【０００８】
本発明は上述した従来技術の問題に鑑みなされたもので、本発明の目的は、取付ボルトによって各コネクタハウジングを容易に取付けることができ、組立作業性を向上できるようにした建設機械用コネクタ装置を提供することにある。
【０００９】
（１）．本発明による建設機械用コネクタ装置は、建設機械で用いる複数本のハーネスを接続するために互いに対面して取付け、取外し可能に嵌合される２つのコネクタハウジングと、該各コネクタハウジングのうち一側のコネクタハウジングに前記ハーネスの接続方向に貫通して設けられたボルト挿通孔と、前記一側コネクタハウジングのボルト挿通孔に挿通して設けられ基端側がボルト頭となり先端側が他側のコネクタハウジングと対向する対向面より突出した雄ねじとなった取付ボルトと、前記他側コネクタハウジングのうち前記一側コネクタハウジングと対向する対向面に設けられ該取付ボルトの雄ねじが螺着される雌ねじとを備えている。
【００１０】
上述した課題を解決するために、本発明が採用する構成の特徴は、前記取付ボルトには、前記ボルト頭と雄ねじとの間に位置して該取付ボルトを締付けたときに前記コネクタハウジングが損傷する締付け力よりも小さな締付け力で破断する脆弱部を設け、前記他側コネクタハウジングに設けられた雌ねじは、前記一側コネクタハウジングに向け開口する有底状の雌ねじ穴として形成し、前記雌ねじ穴は、前記脆弱部が破断するまで前記取付ボルトの雄ねじを締付けた場合でも、前記雄ねじの先端部との間に軸方向の間隙を確保することができる長さ寸法に形成したことにある。
【００１１】
この構成によると、一側コネクタハウジングと他側コネクタハウジングとを互いに対面させる。この状態で一側コネクタハウジングのボルト挿通孔に挿通した取付ボルトの雄ねじを他側コネクタハウジングに設けた雌ねじ穴に螺合して締付ける。これにより、雌ねじ穴に対する取付ボルトの締付け力を利用して各コネクタハウジング間でハーネスを電気的に接続することができる。
【００１２】
この取付ボルトを用いた各コネクタハウジングの接続作業では、過大な締付け力で取付ボルトを締付けてしまうことがある。この場合には、取付ボルトに脆弱部が設けられているから、各コネクタハウジングが損傷に至る締付け力よりも小さな締付け力で、取付ボルトの脆弱部が破断する。従って、一定以上の取付ボルトの締付けを阻止することができ、各コネクタハウジングを保護することができる。
【００１３】
しかも、有底状の雌ねじ穴は、脆弱部が破断するまで取付ボルトを締付けた場合でも、この取付ボルトの雄ねじの先端部との間に軸方向の間隙を確保することができる。これにより、破断した取付ボルトの先端側部分は、雄ねじが雌ねじ穴に螺合しているだけで締付け力を発生していないから、破断した取付ボルトの先端側部分は手で簡単に緩めて取外すことができる。
【００１４】
この結果、破断した取付ボルトを新しい取付ボルトに交換する場合には、工具を用いることなく破断した取付ボルトを取外すことができ、取付ボルトの取外し作業を容易にして、組立作業性を向上することができる。
【００１５】
さらに、雌ねじ穴は、脆弱部が破断に至った状態でも、その底部と取付ボルトの雄ねじとの間に間隙を確保することができ、取付ボルトの雄ねじに当接することがない。この結果、従来技術のように、雄ねじの先端が雌ねじ穴の底部に当接したことに気付かずに取付ボルトを締付けすぎ、これが原因で取付ボルトが破断する事態を防止できる。従って、この点においても、組立作業性を向上することができる。
【００１６】
（２）．本発明によると、前記他側コネクタハウジングには袋ナットを設け、前記雌ねじ穴は該袋ナットに設ける構成としたことにある。
【００１７】
この構成によると、他側コネクタハウジングについてみると、雌ねじ穴を袋ナットに設けたことにより、該雌ねじ穴を通じて各コネクタハウジング間に雨水が浸入するのを防止できる。これにより、各コネクタハウジング間の防水性能を高めることができ、耐久性、信頼性等を向上することができる。
【００１８】
（３）．本発明によると、前記一側コネクタハウジングと前記取付ボルトのボルト頭との間には前記ボルト挿通孔を液密にシールするシール部材を設ける構成としたことにある。
【００１９】
この構成によると、一側コネクタハウジングについてみると、ボルト挿通孔は、一側コネクタハウジングと取付ボルトのボルト頭との間に設けたシール部材によって液密にシールしているから、該ボルト挿通孔を通じて各コネクタハウジング間に雨水が浸入するのを防止できる。これにより、各コネクタハウジング間の防水性能を高めることができ、耐久性、信頼性等を向上することができる。
【００２０】
（４）．本発明は、前記各コネクタハウジングのうち少なくとも一方のコネクタハウジングには、互いに対面して取付けたときに該各コネクタハウジング間を液密にシールする他のシール部材を設ける構成としたことにある。
【００２１】
この構成によると、２つのコネクタハウジングを互いに対面して取付けたときには、各コネクタハウジングのうち少なくとも一方のコネクタハウジングに設けた他のシール部材により、各コネクタハウジング間に雨水が浸入するのを防止でき、防水性能を高めることができる。
【００２２】
（５）．本発明は、前記ボルト挿通孔のうち前記他側コネクタハウジングとの対向面側に大径孔部を形成し、前記取付ボルトの脆弱部は前記大径孔部内に位置して縮径して形成した縮径部であり、該縮径部には前記取付ボルトのボルト頭との間で当該取付ボルトを抜止めする抜止めリングを取付ける構成としたことにある。
【００２３】
この構成によると、取付ボルトの脆弱部を形成する縮径部を利用し、この縮径部に抜止めリングを取付けることにより、取付ボルトは、そのボルト頭と抜止めリングとにより一側コネクタハウジングに対し抜止めすることができ、接続、分離作業時の作業性を高めることができる。しかも、縮径部は、脆弱部として形成されるものであるから、加工工数を増やすことなく、簡単に設けることができる。
【図面の簡単な説明】
【００２４】
【図１】本発明の実施の形態に係る建設機械用コネクタ装置を接続状態で示す断面図である。
【図２】図１に示す建設機械用コネクタ装置を分離状態で示す断面図である。
【図３】図１中の袋ナットの雌ねじ穴と取付ボルトの雄ねじとの締結状態を拡大して示す要部拡大断面図である。
【図４】一側コネクタハウジングと取付ボルトを拡大して示す拡大断面図である。
【図５】他側コネクタハウジングと袋ナットを拡大して示す拡大断面図である。
【図６】本発明の変形例による建設機械用コネクタ装置を示す断面図である。
【発明を実施するための形態】
【００２５】
以下、本発明の実施の形態に係る建設機械用コネクタ装置を、油圧ショベルに適用した場合を例に挙げ、図１ないし図５に従って詳細に説明する。
【００２６】
まず、本実施の形態によるコネクタ装置１が適用される建設機械の代表例としての油圧ショベルは、数多くのスイッチ、センサ、表示器等の電気部品（いずれも図示せず）を搭載しており、これらの電気部品から延びる電源用、信号伝達用のハーネス１０，１９も多数本存在している。このため、多数本のハーネス１０，１９を接続する場合には、接続端子１０Ａ，１９Ａ間の摩擦抵抗が大きくなるために、手作業では確実な接続、分離を行うことが難しい。そこで、本実施の形態によるコネクタ装置１は、ねじの締付け力を利用して接続と分離を行うようになっている。
【００２７】
即ち、図１、図２において、１は例えば油圧ショベルに設けられる本実施の形態による建設機械用コネクタ装置を示している。このコネクタ装置１は、後述する多数本のハーネス１０，１９を分離可能に接続するものである。コネクタ装置１は、後述の一側コネクタハウジング２、取付ボルト６、ガスケット７、パッキン８、抜止めリング９、他側コネクタハウジング１２、袋ナット１５により大略構成されている。
【００２８】
まず、コネクタ装置１を構成する一側コネクタハウジング２、取付ボルト６、パッキン８、抜止めリング９等について説明する。
【００２９】
即ち、２はコネクタ装置１の外形をなす一側コネクタハウジングで、この一側コネクタハウジング２は、例えば絶縁性の樹脂材料を用いて形成されている。一側コネクタハウジング２は、例えばほぼ直方体状に形成されたハウジング本体３と、該ハウジング本体３のほぼ中央位置に後述する各ハーネス１０，１９の接続方向Ａ（図２中の符号Ａ参照）に延びて設けられた小径筒状のボルト支持筒４とにより構成されている。
【００３０】
ここで、ハウジング本体３には、後述するハーネス１０の端部をなす接続端子１０Ａ（図３中に点線で一部のみ図示）が他側コネクタハウジング１２と対向する対向面３Ａに向けて取付けられている。ハウジング本体３の外周側で対向面３Ａの反対側位置には、外向きに突出して鍔部３Ｂが形成され、該鍔部３Ｂは、ハウジング本体３の外周側に設けられる後述のパッキン８を接続方向に位置決めするものである。
【００３１】
ボルト支持筒４は、内部が後述のボルト挿通孔５となる小径な円筒状部材として形成されている。このボルト支持筒４は、ハウジング本体３の対向面３Ａと反対側に突出し、その突出端面は、取付ボルト６のボルト頭６Ｂとの間をシールする後述のガスケット７が密着するシール面４Ａとなっている。
【００３２】
５はボルト支持筒４内に設けられたボルト挿通孔である。このボルト挿通孔５は、後述する取付ボルト６の軸部６Ａが回転自在に挿通するもので、各ハーネス１０，１９の接続方向Ａを軸方向として貫通して設けられている。また、ボルト挿通孔５のうちハウジング本体３の対向面３Ａ側には、段部５Ａを介して大径孔部５Ｂが形成されている。この大径孔部５Ｂには、取付ボルト６の脆弱部６Ｄに外嵌した状態で後述の抜止めリング９が配設されている。
【００３３】
６は一側コネクタハウジング２に設けられた取付ボルトである。この取付ボルト６は、例えば金属材料を用いて形成され、ボルト支持筒４内のボルト挿通孔５に軸方向に位置決めされた状態で回転自在に挿通されている。また、取付ボルト６は、ボルト挿通孔５内を軸方向に延びる円柱状の軸部６Ａと、該軸部６Ａの基端側に設けられた六角形状のボルト頭６Ｂと、前記軸部６Ａの先端側に設けられた雄ねじ６Ｃとにより大略構成されている。
【００３４】
ここで、取付ボルト６のボルト頭６Ｂは、後述するガスケット７を傷付けることなく、液密に密着できるように、フランジ付きボルト頭として形成されている。また、取付ボルト６の雄ねじ６Ｃは、ハウジング本体３の対向面３Ａよりも他側コネクタハウジング１２に向けて突出した位置に配設されている。
【００３５】
また、取付ボルト６には、ボルト頭６Ｂと雄ねじ６Ｃとの間、例えば軸部６Ａと雄ねじ６Ｃとの間に位置して脆弱部６Ｄが形成されている。この脆弱部６Ｄは、軸部６Ａに全周に亘って凹溝を形成することにより、軸部６Ａよりも小径に縮径された縮径部として形成されている。ここで、脆弱部６Ｄは、軸部６Ａ、雄ねじ６Ｃよりも外力に弱く、取付ボルト６を締付けたときに各コネクタハウジング２，１２が損傷する締付け力よりも小さな締付け力で破断するように強度（材質、縦弾性係数、断面積等の強度条件）が設定されている。
【００３６】
即ち、各ハーネス１０，１９を確実に接続することができる取付ボルト６の規定の締付けトルクをＴ1とし、取付ボルト６の過大な締付けによって各コネクタハウジング２，１２が損傷を生じる締付けトルクをＴ2とすると、脆弱部６Ｄが破断する締付けトルクＴ3は、取付ボルト６の規定の締付けトルクＴ1よりも大きな値で、各コネクタハウジング２，１２が損傷を生じる締付けトルクＴ2よりも小さな値となっている（Ｔ1＜Ｔ3＜Ｔ2）。従って、脆弱部６Ｄは、各コネクタハウジング２，１２が損傷する締付け力よりも小さな締付け力で破断することができるから、これ以上の取付ボルト６の締付けを阻止することができ、各コネクタハウジング２，１２を保護することができる。
【００３７】
また、脆弱部６Ｄは、全周溝を備えた縮径部として形成され、ボルト挿通孔５の段部５Ａの位置または段部５Ａを僅かに超えた大径孔部５Ｂ内に配置している。この結果、該脆弱部６Ｄには、後述の抜止めリング９を取付けることができる。従って、脆弱部６Ｄを利用して抜止めリング９を取付けることにより、取付ボルト６は、そのボルト頭６Ｂと抜止めリング９とによって一側コネクタハウジング２に対し抜止めすることができる。
【００３８】
７はボルト支持筒４のシール面４Ａと取付ボルト６のボルト頭６Ｂとの間に設けられたシール部材としてのガスケットである。このガスケット７は、ワッシャ状に形成され、取付ボルト６を締付けたときに、ボルト支持筒４のシール面４Ａと取付ボルト６のボルト頭６Ｂのフランジ面に密着するものである。これにより、ガスケット７は、ボルト挿通孔５内を外部に対して液密にシールし、該ボルト挿通孔５を通じて各コネクタハウジング２，１２間に雨水等が浸入するのを防止することができる。
【００３９】
８は一側コネクタハウジング２を構成するハウジング本体３の外周側に設けられた他のシール部材としてのパッキンである。このパッキン８は、例えば弾性を有する樹脂材料、ゴム材料からなり、鍔部３Ｂに当接する位置にハウジング本体３の周囲を締付けるように取付けられている。
【００４０】
ここで、パッキン８は、図１に示すように、各コネクタハウジング２，１２を互いに対面して取付けたときに、一側コネクタハウジング２のハウジング本体３を取囲む位置に配置される他側コネクタハウジング１２側のハウジング本体１３の外嵌筒部１３Ｂに密着する。これにより、パッキン８は、２つのコネクタハウジング２，１２間を液密にシールし、各コネクタハウジング２，１２間の隙間を通じて雨水等が浸入するのを防止することができる。
【００４１】
９は取付ボルト６の脆弱部６Ｄに設けられた抜止めリングで、該抜止めリング９は、例えばＣ字状のリング部材として形成されている。また、抜止めリング９は、ボルト挿通孔５の大径孔部５Ｂ内に位置し、取付ボルト６の脆弱部６Ｄに嵌合されている。これにより、抜止めリング９は、段部５Ａに当接することによってボルト頭７Ｂとの間でボルト支持筒４を挟むことができ、取付ボルト６を抜止めすることができる。
【００４２】
１０は一側コネクタハウジング２のハウジング本体３に取付けられた多数本のハーネスを示している。この多数本のハーネス１０は、線材の端部に固着された接続端子１０Ａが他側コネクタハウジング１２側を向くように、ハウジング本体３に所定の範囲内に、所定の間隔をもって取付けられている。また、各ハーネス１０の接続端子１０Ａは、他側コネクタハウジング１２側に設けられた各ハーネス１９の接続端子１９Ａと摩擦接触することによって電気的に接続されている。一方、各接続端子１０Ａ，１９Ａ間の摩擦力に抗して各コネクタハウジング２，１２を分離方向に移動させることにより、各接続端子１０Ａ，１９Ａを分離することができる。
【００４３】
また、１１は一側コネクタハウジング２に設けられたカバーで、該カバー１１は、ハウジング本体３の外周側からボルト支持筒４の突出端までを覆うようにドーム状に形成されている。そして、カバー１１は、各ハーネス１０等を覆って保護するものである。
【００４４】
次に、コネクタ装置１を構成する他側コネクタハウジング１２、袋ナット１５等について説明する。
【００４５】
即ち、１２は一側コネクタハウジング２に対面して取付け、取外し可能に嵌合される他側コネクタハウジングを示している。この他側コネクタハウジング１２は、例えば絶縁性の樹脂材料を用いて形成され、一側コネクタハウジング２と一緒にコネクタ装置１の外形を構成している。また、他側コネクタハウジング１２は、一側コネクタハウジング２のハウジング本体３に対面するハウジング本体１３と、該ハウジング本体１３のほぼ中央位置に設けられたナット取付孔１４とにより大略構成されている。
【００４６】
ここで、ハウジング本体１３は、一側コネクタハウジング２のハウジング本体３よりも若干大きく形成されている。このハウジング本体１３には、後述するハーネス１９の端部をなす多数本の接続端子１９Ａが一側コネクタハウジング２と対向する対向面１３Ａに向けて取付けられている。
【００４７】
一方、ハウジング本体１３の外周側には、対向面１３Ａから一側に向けて突出した角枠状の外嵌筒部１３Ｂが形成され、該外嵌筒部１３Ｂは、一側コネクタハウジング２のハウジング本体３を取囲むものである。そして、外嵌筒部１３Ｂは、ハウジング本体３の外周側に設けたパッキン８に対し外周側から液密に当接するものである。さらに、ハウジング本体１３の外周側には、コネクタ装置１を構造物（図示せず）に取付けるための取付ブラケット１３Ｃが外向きに突設されている。
【００４８】
前記ナット取付孔１４は、取付ボルト６と同軸となる位置に、対向面１３Ａ側が大径となる段付孔として形成されている。ナット取付孔１４の途中位置に形成された段部１４Ａは、袋ナット１５が他側に移動するのを規制するものである。ここで、ナット取付孔１４は、取付ボルト６を締付けるときに袋ナット１５が共回りしないように、例えば多角形状または回り止め手段が施された円形状の貫通孔として形成されている。
【００４９】
１５はハウジング本体１３の中央位置に該ハウジング本体１３と別個に設けられた袋ナットを示している。即ち、この袋ナット１５は、ハウジング本体３のボルト支持筒４（ボルト挿通孔５）と対向する位置に配置されている。袋ナット１５は、例えば金属材料を用いて形成され、ハウジング本体１３のナット取付孔１４内に固定状態で液密に取付けられている。また、袋ナット１５は、後述する有底状の雌ねじ穴１７を備えているから、この雌ねじ穴１７を通じて雨水等が浸入するのを阻止することができる。
【００５０】
また、袋ナット１５は、接続方向Ａ（軸方向）の一側が大径部１５Ａとなり他側が小径部１５Ｂとなっている。ここで、大径部１５Ａと小径部１５Ｂは、ナット取付孔１４内に回転不能に嵌合する多角形状体として形成され、または回り止め手段を備えた円形状体として形成されている。一方、小径部１５Ｂの外周側には、ナット取付孔１４から他側に突出した位置に凹溝１５Ｃが設けられ、該凹溝１５Ｃには、ナット取付孔１４に対して袋ナット１５を抜止め状態で固定する固定リング１６が取付けられている。
【００５１】
１７は袋ナット１５に設けられた本実施の形態の特徴部分となる雌ねじ穴を示している。この雌ねじ穴１７は、他側コネクタハウジング１２を構成するハウジング本体１３の対向面１３Ａ側に開口する有底状のねじ穴として形成されている。また、雌ねじ穴１７は、取付ボルト６の雄ねじが螺着するものである。
【００５２】
ここで、雌ねじ穴１７は、図３に示すように、底部１７Ａまでの長さ寸法（深さ寸法）が寸法Ｌ1に設定されている。一方、各コネクタハウジング２，１２が接続するまで取付ボルト６の雄ねじ６Ｃを雌ねじ穴１７にねじ込んだときの長さ寸法をＬ2とする。また、雌ねじ穴１７の底部１７Ａと雄ねじ６Ｃの先端部６Ｃ1との間に形成される間隙１８の長さ寸法をＬ3とする。従って、雌ねじ穴１７の長さ寸法Ｌ1は、取付ボルト６の雄ねじ６Ｃのねじ込み長さ寸法Ｌ2と、間隙１８の長さ寸法Ｌ3とを加えた寸法となっている（Ｌ1＝Ｌ2＋Ｌ3）。
【００５３】
これにより、有底状のねじ穴として形成された雌ねじ穴１７は、脆弱部６Ｄが破断するまで取付ボルト６を締付けた場合でも、この取付ボルト６の雄ねじ６Ｃの先端部６Ｃ1との間に軸方向の間隙１８を確保することができる。従って、取付ボルト６の先端側部分で破断した雄ねじ６Ｃは、締結状態ではなく単に雌ねじ穴１７に螺合しているだけであるから、特別な工具等を用いることなく、手作業で容易に緩めることができる。
【００５４】
また、雌ねじ穴１７は、その底部１７Ａに取付ボルト６の雄ねじ６Ｃが当接しないように間隙１８を確保しているから、取付ボルト６を締付けたときに、各コネクタハウジング２，１２を保護することとは関係なく、脆弱部６Ｄが不用意に破断するのを防止することができる。
【００５５】
１９は他側コネクタハウジング１２のハウジング本体１３に取付けられた多数本のハーネスを示している。この他側コネクタハウジング１２側の各ハーネス１９は、図３に示す如く、一側コネクタハウジング２側のハーネス１０に対応して接続できるように、その接続端子１９Ａが一側コネクタハウジング２側に向けてハウジング本体１３に取付けられている。そして、各ハーネス１０，１９の接続端子１０Ａ，１９Ａは、取付ボルト６の雄ねじ６Ｃを規定のトルクＴ1で雌ねじ穴１７に締付けることにより、例えば雄雌嵌合によって電気的に接続することができる。一方、取付ボルト６を緩める方向に回転させることにより、各接続端子１０Ａ，１９Ａを分離することができる。
【００５６】
本実施の形態による建設機械用コネクタ装置１は、上述の如き構成を有するもので、次に、このコネクタ装置１の接続動作について説明する。
【００５７】
まず、一側コネクタハウジング２と他側コネクタハウジング１２とを、互いに対面する方向（図２中の接続方向Ａ）に接近させ、取付ボルト６の雄ねじ６Ｃを袋ナット１５の雌ねじ穴１７に螺合させる。そして、取付ボルト６を規定のトルクＴ1で締付けることにより、一側コネクタハウジング２と他側コネクタハウジング１２とを接続することができ、同時に、一側コネクタハウジング２側の各ハーネス１０と他側コネクタハウジング１２側の各ハーネス１９とを電気的に接続することができる。
【００５８】
この取付ボルト６を用いた各コネクタハウジング２，１２の接続作業では、過大な締付け力で取付ボルト６を締付けてしまうことがある。この場合には、各コネクタハウジング２，１２が損傷する締付けトルクＴ2よりも小さな締付け力Ｔ3で取付ボルト６の脆弱部６Ｄが破断するから、これ以上の取付ボルト６の締付けを阻止することができ、各コネクタハウジング２，１２を保護することができる。
【００５９】
また、本実施の形態では、脆弱部６Ｄが破断するまで取付ボルト６を締付けた場合に、雌ねじ穴１７は、その底部１７Ａと取付ボルト６の雄ねじ６Ｃの先端部６Ｃ1との間に軸方向の間隙１８を確保することができる。このため、破断した取付ボルト６の雄ねじ６Ｃ部分は、雌ねじ穴１７に対して螺合しているだけの状態で残すことができ、雌ねじ穴１７に残った雄ねじ６Ｃ部分は、手作業で容易に緩めて取外すことができる。
【００６０】
一方、取付ボルト６を規定の締付けトルクＴ1で締結した場合には、該取付ボルト６を緩める方向に回転することにより、各接続端子１０Ａ，１９Ａ間の摩擦力に抗して各コネクタハウジング２，１２を分離方向に移動することができ、各接続端子１０Ａ，１９Ａを分離することができる。
【００６１】
以上のように、本実施の形態によれば、取付ボルト６の雄ねじ６Ｃが螺合する袋ナット１５の雌ねじ穴１７は、有底状のねじ穴として形成している。しかも、雌ねじ穴１７の長さ寸法（深さ寸法）は、脆弱部６Ｄが破断するまで前記取付ボルト６の雄ねじ６Ｃを締付けたときに、前記雄ねじ６Ｃの先端部６Ｃ1との間に軸方向の間隙１８を確保することができる寸法Ｌ1としている。
【００６２】
従って、過大な締付けトルクによって取付ボルト６の雄ねじ６Ｃが破断した場合、その破断した雄ねじ６Ｃは、雌ねじ穴１７に対し締付け力を発生していない螺合状態とすることができる。これにより、雌ねじ穴１７内に残った取付ボルト６の雄ねじ６Ｃは、指先で簡単に回転することができ、容易に緩めて取外すことができる。
【００６３】
この結果、破断した取付ボルト６を新しい取付ボルト６に交換する場合には、特殊な工具を用いることなく、破断した取付ボルト６を取外すことができ、取付ボルト６の取外し作業を容易にして、組立作業性を向上することができる。
【００６４】
また、雌ねじ穴１７は、取付ボルト６の脆弱部６Ｄが破断に至った状態でも、その底部１７Ａと取付ボルト６の雄ねじ６Ｃの先端部６Ｃ1との間に間隙１８を確保することができる。この結果、従来技術のように、雄ねじ６Ｃの先端部６Ｃ1が雌ねじ穴１７の底部１７Ａに当接したことに気付かずに取付ボルト６を締付け過ぎたため、取付ボルト６が破断する事態を防止できる。この点においても、組立作業性を向上することができる。
【００６５】
また、他側コネクタハウジング１２には袋ナット１５を設け、雌ねじ穴１７はこの袋ナット１５に有底状のねじ穴として設けているから、雌ねじ穴１７を通じて各コネクタハウジング２，１２間に雨水等が浸入するのを防止できる。これにより、防水性能を高めることができ、コネクタ装置１の耐久性、信頼性等を向上することができる。
【００６６】
一方、ボルト支持筒４のシール面４Ａと取付ボルト６のボルト頭６Ｂとの間には、ガスケット７を設けているから、ボルト挿通孔５を通じて各コネクタハウジング２，１２間に雨水等が浸入するのを防止できる。これにより、防水性能を高めることができ、コネクタ装置１の耐久性、信頼性等を向上することができる。
【００６７】
一方、一側コネクタハウジング２のハウジング本体３の外周側には、パッキン８を設けているから、他側コネクタハウジング１２のハウジング本体１３の外嵌筒部１３Ｂとの間を通じて２つのコネクタハウジング２，１２間に雨水等が浸入するのを防止できる。これによっても、コネクタ装置１の防水性能を高めることができる。
【００６８】
さらに、取付ボルト６の脆弱部６Ｄは、該取付ボルト６を抜止めするための抜止めリング９の取付部として利用することができるから、抜止めリング９を取付けるための機械加工を省略することができる。
【００６９】
なお、実施の形態では、他側コネクタハウジング１２を構成するハウジング本体１３にナット取付孔１４を設け、別個に設けた袋ナット１５を該ナット取付孔１４に挿嵌し、該袋ナット１５をナット取付孔１４に固定リング１６で固定する構成とした場合を例に挙げて説明した。しかし、本発明はこれに限らず、例えば図６に示す変形例によるコネクタ装置２１のように、他側コネクタハウジング２２を樹脂成形するときに、ハウジング本体２３に袋ナット２４を鋳込むようにして一体形成する構成としてもよい。
【００７０】
また、実施の形態では、一側コネクタハウジング２を構成するハウジング本体３の外周側に他のシール部材をなすパッキン８を設けた場合を例示している。しかし、本発明はこれに限るものではなく、例えば他側コネクタハウジング１２を構成するハウジング本体１３の外嵌筒部１３Ｂの内周側にパッキンを設ける構成としてもよい。また、一側コネクタハウジング２のハウジング本体３の外周側と他側コネクタハウジング１２のハウジング本体１３の外嵌筒部１３Ｂの内周側との両方にパッキンを設ける構成としてもよい。
【００７１】
さらに、実施の形態では、建設機械用コネクタ装置１を油圧ショベルに適用した場合を例に挙げて説明した。しかし、本発明はこれに限るものではなく、例えば油圧クレーン、ホイールローダ等の他の建設機械のコネクタ装置としても広く適用することができる。
【符号の説明】
【００７２】
１，２１  建設機械用コネクタ装置
２  一側コネクタハウジング
３，１３，２３  ハウジング本体
３Ａ，１３Ａ  対向面
４  ボルト支持筒
４Ａ  シール面
５  ボルト挿通孔
５Ｂ  大径孔部
６  取付ボルト
６Ａ  軸部
６Ｂ  ボルト頭
６Ｃ  雄ねじ
６Ｃ1  先端部
６Ｄ  脆弱部（縮径部）
７  ガスケット（シール部材）
８  パッキン（他のシール部材）
９  抜止めリング
１０，１９  ハーネス
１０Ａ，１９Ａ  接続端子
１２，２２  他側コネクタハウジング
１４  ナット取付孔
１５，２４  袋ナット
１７  雌ねじ穴
１７Ａ  底部
１８  間隙
Ｌ1  雌ねじ穴の長さ寸法
【図１】
2010098301.tif 000003
【図２】
2010098301.tif 000004
【図３】
2010098301.tif 000005
【図４】
2010098301.tif 000006
【図５】
2010098301.tif 000007
【図６】
2010098301.tif 000008
【手続補正書】
【提出日】平成23年1月26日(2011.1.26)
【手続補正１】
【補正対象書類名】明細書
【補正対象項目名】００４１
【補正方法】変更
【補正の内容】
【００４１】
９は取付ボルト６の脆弱部６Ｄに設けられた抜止めリングで、該抜止めリング９は、例えばＣ字状のリング部材として形成されている。また、抜止めリング９は、ボルト挿通孔５の大径孔部５Ｂ内に位置し、取付ボルト６の脆弱部６Ｄに嵌合されている。これにより、抜止めリング９は、段部５Ａに当接することによってボルト頭６Ｂとの間でボルト支持筒４を挟むことができ、取付ボルト６を抜止めすることができる。
【手続補正２】
【補正対象書類名】明細書
【補正対象項目名】００５１
【補正方法】変更
【補正の内容】
【００５１】
１７は袋ナット１５に設けられた本実施の形態の特徴部分となる雌ねじ穴を示している。この雌ねじ穴１７は、他側コネクタハウジング１２を構成するハウジング本体１３の対向面１３Ａ側に開口する有底状のねじ穴として形成されている。また、雌ねじ穴１７は、取付ボルト６の雄ねじ６Ｃが螺着するものである。
【国際調査報告】
2010098301.tif 000009
2010098301.tif 000010
2010098301.tif 000011
2010098301.tif 000012